(57)【要約】【課題】把手操作により筐体との係脱操作を確実に行うことができるとともに、体裁が良い開閉装置及び収納什器を提供する。【解決手段】開閉装置１では、把持機構１０は、把持可能な把手部２１と、把手部２１に設けられ、後方に延びる一対の把手脚部２２と、一対の取付孔１１１に配置さるとともに、内部に前後方向に貫通する挿通空間４ｓが形成され、挿通空間４ｓに各把手脚部２２が前後方向に移動可能に配置されたカバー部４と、一対の取付孔１１１においてカバー部４よりも後方に配置されるとともに、内部に前後方向に貫通する案内空間５ｓが形成された案内部５２と、各把手脚部２２と連結されるとともに、カバー部４の挿通空間４ｓに挿通され、案内部５２の案内空間５ｓの内部で前後方向に案内される被案内部３２と、被案内部３２に連結され、係合部６２に対して被係合部との係脱を操作する操作部３と、を有することを特徴とする。【選択図】図３
2020070694.tif 000002
【特許請求の範囲】
【請求項１】
前方に向かって開口する筐体を開閉可能に閉塞する閉塞部材に設けられた把持機構と、
前記閉塞部材に設けられた係合部と、前記筐体に設けられ前記係合部と係合可能な被係合部と、を有し、前記把持機構の操作に連動して、前記係合部と前記被係合部との係脱が行われるラッチ機構と、を備え、
前記閉塞部材には、前後方向に貫通する一対の取付孔が形成され、
前記把持機構は、
把持可能な把手部と、
該把手部に設けられ、後方に延びる一対の把手脚部と、
一対の前記取付孔に配置さるとともに、内部に前記前後方向に貫通する挿通空間が形成され、該挿通空間に各前記把手脚部が前記前後方向に移動可能に配置されたカバー部と、
一対の前記取付孔において前記カバー部よりも後方に配置されるとともに、内部に前記前後方向に貫通する案内空間が形成された案内部と、
各前記把手脚部と連結され、前記カバー部の前記挿通空間に挿通され、前記案内部の前記案内空間に配置され前記前後方向に案内される被案内部と、
該被案内部に連結され、前記係合部に対して前記被係合部との係脱を操作する操作部と、を有することを特徴とする開閉装置。
【請求項２】
前記カバー部は、
前記取付孔の内部に配置され、内部に前記挿通空間が形成されたカバー本体部を有し、
該カバー本体部は、前記把手脚部を前記前後方向に案内することを特徴とする請求項１に記載の開閉装置。
【請求項３】
前記カバー部は、
前記カバー本体部の前部から外方に向かって延び、前記閉塞部材の前面に沿って配置される縁部を有することを特徴とする請求項２に記載の開閉装置。
【請求項４】
前記カバー部は、
前記カバー本体部の後部に設けられ、内方に向かって突出する規制部を有し、
前記把手脚部が後方に移動し前記係合部と前記被係合部との係合が解除された位置で、前記規制部は、前記把手脚部がさらに後方へ移動することを規制することを特徴とする請求項２または３に記載の開閉装置。
【請求項５】
前記カバー部は、
前記カバー本体部に設けられ、前記取付孔に形成された孔側係止部に係止可能なカバー側係止部を有する請求項２から４のいずれか一項に記載の開閉装置。
【請求項６】
前記取付孔は、
前記前後方向を軸線方向として円柱状に形成された縮径部と、
前記前後方向を軸線方向として円柱状に形成されるとともに、該縮径部に連続して該縮径部の後方に配置され、該縮径部の径よりも大きい径で形成された拡径部と、を有し、
前記孔側係止部は、前記縮径部と前記拡径部との段部であり、
前記カバー側係止部は、前記カバー本体部から径方向外側に突出する形状をなすことを特徴とする請求項５に記載の開閉装置。
【請求項７】
前方に向かって開口する筐体と、
該筐体を開閉可能に閉塞する閉塞部材と、
請求項１から６のいずれか一項に記載の開閉装置と、を備えることを特徴とする収納什器。
【発明の詳細な説明】
【技術分野】
【０００１】
本発明は、開閉装置及び収納什器に関する。
【背景技術】
【０００２】
従来から、オフィスや病院、公共施設、研究施設等の執務空間において、執務に使用する物品等を収納するための物品収納什器が設置されている。こうした物品収納什器として、前方に向かって開口する箱型の什器本体の内部に物品を収納して、什器本体の前部に扉や引き出しの前面板等の閉塞部材が開閉可能に設けられたものが知られている。閉塞部材を設けることで、什器本体の内部空間や収納された物品が露呈することが抑制され、物品収納什器の体裁が良好とされている。
【０００３】
また、什器本体に設けられた第一係合部と、閉塞部材に設けられ第一係合部と係合可能な第二係合部と、を有するラッチ機構が設けられた物品収納什器も知られている。地震等の際には、ラッチ機構により、閉塞部材が意図せず開放されてしまうことが防止されている。また、閉塞部材に把手が設けられ、把手の操作と連動してラッチ機構の係脱が行われるものもある。
【０００４】
特許文献１では、把手の後端部に摺動部が設けられ、摺動部がラッチ機構側とボルトで連結され、摺動部及びボルトは閉塞部材に前後方向に貫通するように形成された取付孔内に配置されたものが提案されている。把手の押し引き操作にともない、摺動部及びボルトが取付孔内を前後方向に移動可能とされている。摺動部及びボルトが前方に移動した状態で前方から見て摺動部及びボルトが露呈しないように、取付孔の前方にはカバー部材が配置され、摺動部及びボルトがカバー部材の内部に配置可能とされている。
【０００５】
特許文献２では、正面視で一方向に長く把持可能な手掛け部と、手掛け部の長手方向の両端部からそれぞれ後方に突出する摺動部と、を有する把手が、閉塞部材に設けられたものが提案されている。閉塞部材の後方には操作部材が配置され、一対の摺動部がそれぞれ操作部材にボルトで連結され、各ボルトが閉塞部材に形成された取付孔内に配置可能とされている。
【先行技術文献】
【特許文献】
【０００６】
【特許文献１】特開２００７−２２４５３３号公報
【特許文献２】特許第４３１６８５７号公報
【発明の概要】
【発明が解決しようとする課題】
【０００７】
しかしながら、上記の特許文献１のような把手では、閉塞部材の前方にカバー部材が露呈しているため、体裁が悪いという問題点がある。
【０００８】
また、上記の特許文献２のように手掛け部に一対の摺動部が設けられた把手では、把手の押し引き操作により、一対の摺動部が同期せず前後方向にずれて移動すると、把手の押し引き操作にがたつきが生じたり、ラッチ機構の解除及び係合が円滑にできなかったりする可能性がある。
【０００９】
本発明は、上記事情に鑑みてなされたものであり、把手操作により筐体との係脱操作を確実に行うことができるとともに、体裁が良い開閉装置及び収納什器を提供するものである。
【課題を解決するための手段】
【００１０】
上記目的を達成するために、本発明は以下の手段を採用している。
すなわち、本発明に係る開閉装置は、前方に向かって開口する筐体を開閉可能に閉塞する閉塞部材に設けられた把持機構と、前記閉塞部材に設けられた係合部と、前記筐体に設けられ前記係合部と係合可能な被係合部と、を有し、前記把持機構の操作に連動して、前記係合部と前記被係合部との係脱が行われるラッチ機構と、を備え、前記閉塞部材には、前後方向に貫通する一対の取付孔が形成され、前記把持機構は、把持可能な把手部と、該把手部に設けられ、後方に延びる一対の把手脚部と、一対の前記取付孔に配置さるとともに、内部に前記前後方向に貫通する挿通空間が形成され、該挿通空間に各前記把手脚部が前記前後方向に移動可能に配置されたカバー部と、一対の前記取付孔において前記カバー部よりも後方に配置されるとともに、内部に前記前後方向に貫通する案内空間が形成された案内部と、各前記把手脚部と連結され、前記カバー部の前記挿通空間に挿通され、前記案内部の前記案内空間に配置され前記前後方向に案内される被案内部と、該被案内部に連結され、前記係合部に対して前記被係合部との係脱を操作する操作部と、を有することを特徴とする。
【００１１】
このように構成された開閉装置では、把手の把手部に設けられた一対の把手脚部は、閉塞部材に形成された一対の取付孔の内部に配置されている。各取付孔には、案内部が配置されている。各把手脚部と連結された被案内部が、案内部の案内空間の内部で前後方向に案内されている。被案内部に連結された操作部は、係合部に対して被係合部との係脱操作を行う。よって、一対の把手脚部は、それぞれ被案内部を介して案内部の案内空間に案内される。したがって、把手を前後方向に押し引きする動作にともない、一対の把手脚部及び一対の被案内部は前後方向に同期して移動するため、筐体に設けられた被係合部との係脱操作を確実に行うことができる。
また、取付孔の内部にはカバー部が配置され、カバー部の挿通空間に把手脚部及び被案内部が挿通されている。よって、被案内部はカバー部の内部に配置されているため、前方から見て、被案内部が露呈しない。さらに、カバー部は取付孔の内部に配置されているため、前方からみてカバー部が大きく露出することがなく、体裁が良い。
【００１２】
本発明に係る開閉装置では、前記カバー部は、前記取付孔の内部に配置され、内部に前記挿通空間が形成されたカバー本体部を有し、該カバー本体部は、前記把手脚部を前記前後方向に案内することが好ましい。
【００１３】
このように構成された開閉装置では、取付孔の内部にカバー本体部が配置され、カバー本体部は把手脚部を前後方向に案内する。よって、把手脚部が前後方向に移動する際に、ガタつきが抑制され、円滑に移動することができる。
【００１４】
本発明に係る開閉装置では、前記カバー部は、前記カバー本体部の前部から外方に向かって延び、前記閉塞部材の前面に沿って配置される縁部を有していてもよい。
【００１５】
このように構成された開閉装置では、カバー部のカバー本体部の前部から外方に向かって延びる縁部は、閉塞部材の前面に沿って配置される。よって、取付孔の前部の角部はカバー本体部の前部及び縁部で覆われているため、把手脚部が取付孔の内部を前後方向の移動することにともない、取付孔の角部が損傷することが抑制される。
【００１６】
本発明に係る開閉装置では、前記カバー部は、前記カバー本体部の後部に設けられ、内方に向かって突出する規制部を有し、前記把手脚部が後方に移動し前記係合部と前記被係合部との係合が解除された位置で、前記規制部は、前記把手脚部がさらに後方へ移動することを規制していてもよい。
【００１７】
このように構成された開閉装置では、カバー部のカバー本体部の後部に設けられた規制部により、係合部と被係合部との係合が解除された位置よりも、把手の把手脚部が後方へ移動することが規制される。よって、把手脚部が取付孔の内部で後方に移動しすぎることが抑制される。
【００１８】
本発明に係る開閉装置では、前記カバー部は、前記カバー本体部に設けられ、前記取付孔に形成された孔側係止部に係止可能なカバー側係止部を有していてもよい。
【００１９】
このように構成された開閉装置では、カバー本体部に設けられたカバー側係止部が取付孔に形成された孔側係止部に係止されるため、カバー部が取付孔から抜け落ちることが抑制される。
【００２０】
本発明に係る開閉装置は、前記取付孔は、前記前後方向を軸線方向として円柱状に形成された縮径部と、前記前後方向を軸線方向として円柱状に形成されるとともに、該縮径部に連続して該縮径部の後方に配置され、該縮径部の径よりも大きい径で形成された拡径部と、を有し、前記孔側係止部は、前記縮径部と前記拡径部との段部であり、前記カバー側係止部は、前記カバー本体部から径方向外側に突出する形状をなしていてもよい。
【００２１】
このように構成された開閉装置では、縮径部及び拡径部は円柱状をなすため、縮径部及び拡径部の加工がしやすい。また、孔側係止部は縮径部と拡径部との段部であるため、縮径部及び拡径部を形成すれば孔側係止部が自然と形成されるため、孔側係止部をわざわざ加工する必要がない。
【００２２】
本発明に係る収納什器は、前方に向かって開口する筐体と、該筐体を開閉可能に閉塞する閉塞部材と、上記のいずれか一に記載の開閉装置と、を備えることを特徴とする。
【００２３】
このように構成された収納什器では、把手の把手部に設けられた一対の把手脚部は、閉塞部材に形成された一対の取付孔の内部に配置されている。各取付孔には、案内部が配置されている。各把手脚部と連結された被案内部が、案内部の案内空間の内部で前後方向に案内されている。被案内部に連結された操作部は、係合部に対して被係合部との係脱操作を行う。よって、一対の把手脚部は、それぞれ被案内部を介して案内部の案内空間に案内される。したがって、把手を前後方向に押し引きする動作にともない、一対の把手脚部及び一対の被案内部は前後方向に同期して移動するため、筐体に設けられた被係合部との係脱操作を確実に行うことができる。
また、取付孔の内部にはカバー部が配置され、カバー部の挿通空間に把手脚部及び被案内部が挿通されている。よって、被案内部はカバー部の内部に配置されているため、前方から見て、被案内部が露呈しない。さらに、カバー部は取付孔の内部に配置されているため、前方からみてカバー部が大きく露出することがなく、体裁が良い。
【発明の効果】
【００２４】
本発明に係る開閉装置及び収納什器によれば、把手操作により筐体との係脱操作を確実に行うことができるとともに、体裁を良好とすることができる。
【図面の簡単な説明】
【００２５】
【図１】本発明の一実施形態に係る収納什器を備えたデスク装置の斜視図である。
【図２】本発明の一実施形態に係る収納什器の開閉装置の構成を示す斜視図である。
【図３】図２のＡ−Ａ線断面図である。
【図４】図２のＢ−Ｂ線断面図である。
【図５】図４のＣ部拡大図である。
【図６】本発明の一実施形態に係る収納什器の開閉装置のカバー部を示す斜視図である。
【図７】図３のＤ部拡大図である。
【図８】本発明の一実施形態に係る収納什器のラッチ機構が解除された状態において、図４のＣ部に対応する箇所の拡大図である。
【図９】本発明の一実施形態に係る収納什器のラッチ機構が解除された状態において、図３のＤ部に対応する箇所の拡大図である。
【発明を実施するための形態】
【００２６】
以下、本発明の一実施形態に係る収納什器を備えたデスク装置について、図面を参照して説明する。
図１は、本発明の一実施形態に係る収納什器を備えたデスク装置の斜視図である。
図１に示すように、デスク装置１００は、側板１１と、引出装置（収納什器）１２と、背板１３と、天板１４と、を備えている。
以下の説明において、デスク装置１００に対して利用者が立つ側を前方とし、反対側を後方とし、これらを結ぶ方向を前後方向とする。また、水平方向のうち前後方向と直交する方向を左右方向とする。
【００２７】
側板１１と引出装置１２とは、左右方向に離間して配置されている。背板１３は、側板１１の後部と引出装置１２の後部とを連結している。天板１４は、側板１１の上端部と引出装置１２の上端部とにまたがって配置されている。
【００２８】
引出装置１２は、筐体１０３と、筐体１０３に設けられたレール（不図示。以下同じ。）に沿ってスライド可能に設けられた上下３段の引出１０４と、を有している。
【００２９】
筐体１０３は、前方に向かって開口する形状をなしている。各引出１０４は、レールに沿って前後方向に移動可能とされている。引出１０４は、引出本体１０５と、開閉装置１と、を備えている。
【００３０】
引出本体１０５は、箱状に形成され、前部に前板（閉塞部材）１１０が設けられている。
【００３１】
前板１１０は、板状に形成されている。前板１１０は、板厚方向を前後方向に向けて配置されている。前板１１０は、正面視で矩形状をなしている。前板１１０は、筐体１０３を開閉可能に閉塞している。
【００３２】
図２は、デスク装置１００の開閉装置１の構成を示す斜視図である。図３は、図２のＡ−Ａ線断面図（横断面図）である。図４は、図２のＢ−Ｂ線断面図（縦断面図）である。図２において、前板１１０を二点鎖線で示している。
図２及び図３に示すように、開閉装置１は、把持機構１０と、ラッチ機構６０と、を有している。
【００３３】
把持機構１０は、前板１１０に設けられている。把持機構１０は、把手２と、スライダー３と、ブッシュ（カバー部）４と、ガイド部材５と、を備えている。把手２及びスライダー３は、前板１１０に対して相対的に前後方向に移動可能とされている。
【００３４】
把手２は、左右方向に長く把持可能な手掛け部（把手部）２１と、手掛け部２１の左右方向の両端部からそれぞれ後方に延びる把手脚部２２と、を有している。
【００３５】
図５は、図４のＣ部拡大図であり、後述するラッチ機構６０（図３参照）が係合された状態を示している。
図５に示すように、各把手脚部２２の後端面２２ｃには、前方に向かって凹む嵌合凹部２２０が形成されている。
【００３６】
嵌合凹部２２０は、後部凹部２２１と、後部凹部２２１に連続して後部凹部２２１の前方に配置された前部凹部２２２と、を有している。
【００３７】
後部凹部２２１及び前部凹部２２２は、前後方向を軸線方向として円柱状に形成されている。換言すると、後部凹部２２１及び前部凹部２２２は、前後方向に直交する断面視で円形状をなしている。
【００３８】
後部凹部２２１の軸線方向と直交する径は、前部凹部２２２の軸線方向と直交する径よりも長い。これにより、後部凹部２２１と前部凹部２２２との境界部分には、把手内段部２２３が形成されている。
【００３９】
図３に示すように、前板１１０には、左右方向に離間して一対の取付孔１１１が形成されている。各把手脚部２２は、対応する取付孔１１１の内部に配置されている。
【００４０】
一対の把手脚部２２の後部どうしは、スライダー（操作部）３で連結されている。スライダー３は、支持板部３１と、一対の軸部（被案内部）３２と、を有している。
【００４１】
図２に示すように、支持板部３１は、平板状に形成されている。支持板部３１は、板厚方向を前後方向に向けて配置されている。支持板部３１は、正面視で左右方向に長い形状をなしている。図３に示すように。支持板部３１は、前板１１０の後方に配置されている。
【００４２】
支持板部３１の前面３１ｇには、前方に向かって突出するばね支持凸部３１１が設けられている。ばね支持凸部３１１は、左右方向に離間して一対配置されている。
【００４３】
支持板部３１の左右方向の一方側の端部には、前方に向かって突出する押圧突起部３１２が設けられている。
【００４４】
一対の軸部３２は、支持板部３１に左右方向に離間して配置されている。一対の軸部３２は、一対のばね支持凸部３１１の左右方向の間に配置されている。軸部３２は、支持板部３１の前面３１ｇから前方に延びている。本実施形態では、軸部３２は摺動性が良いＰＯＭ（ポリアセタール）で形成されている。
【００４５】
図５に示すように、支持板部３１の後面３１ｃから軸部３２に連通して、挿通孔３２１が形成されている。軸部３２は、前後方向を軸線方向とする円筒状をなしている。
【００４６】
軸部３２における軸線方向と直交する径方向の長さは、把手脚部２２における軸線方向と直交する径方向の長さよりも短い。
【００４７】
挿通孔３２１の後端部３２１ｂは、後方に向かうにしたがって次第に径が広くなる形状なしている。
【００４８】
図３に示すように、各軸部３２は、前板１１０の各取付孔１１１の内部に配置されている。図５に示すように、軸部３２の前端部３２ｆは、把手２の把手脚部２２の後部凹部２２１内に配置されている。軸部３２の前端部３２ｆの径は、後部凹部２２１の径よりも僅かに小さい。これにより、軸部３２の前端部３２ｆは、後部凹部２２１に嵌合されている。軸部３２の前端面３２ｇは、把手脚部２２の把手内段部２２３に当接している。
【００４９】
軸部３２の挿通孔３２１には、ボルト３３が挿通されている。ボルト３３の前端部３３ｆは、軸部３２の前端面３２ｇから突出して把手脚部２２の前部凹部２２２にねじ込まれている。ボルト３３の頭部３３ｂは、支持板部３１の挿通孔３２１の後端部３２１ｂに配置されている。このようにして、スライダー３と把手２とは、一体化されている。
【００５０】
軸部３２には、正面視で環状をなすリング部材４８が外嵌されている。リング部材４８は、把手２の把手脚部２２の後端面２２ｃに当接配置されている。本実施形態では、リング部材４８は、ゴム等の軟質部材で構成されている。
【００５１】
前板１１０に形成された取付孔１１１は、前板１１０を前後方向に貫通するように形成されている。取付孔１１１は、第一孔部（縮径部）１１２と、第二孔部（拡径部）１１３と、第三孔部１１４と、を有している。第一孔部１１２、第二孔部１１３及び第三孔部１１４は、前方から後方に向かってこの順に連続配置されている。
【００５２】
第一孔部１１２、第二孔部１１３及び第三孔部１１４は、前後方向を軸線方向として円柱状に形成されている。換言すると、第一孔部１１２、第二孔部１１３及び第三孔部１１４は、前後方向に直交する断面視で円形状をなしている。
【００５３】
第二孔部１１３の軸線方向と直交する径は、第一孔部１１２の軸線方向と直交する径よりも長い。これにより、第二孔部１１３と第一孔部１１２との境界部分には、第一段部（段部、孔側係止部）１１５が形成されている。
【００５４】
第三孔部１１４の径は、第二孔部１１３の径よりも長い。これにより、第三孔部１１４と第二孔部１１３との境界部分には、第二段部１１６が形成されている。
【００５５】
図３に示すように、ブッシュ４は、前板１１０の各取付孔１１１の内部に配置されている。図５に示すように、各ブッシュ４は、第一孔部１１２及び第二孔部１１３の前部に配置されている。
図６は、ブッシュ４を示す斜視図である。
図６に示すように、ブッシュ４は、カバー本体（カバー本体部）４１と、フランジ部（縁部）４２と、突起４３と、を有している。
【００５６】
カバー本体４１は、筒状部４１１と、後向き延出部４１２と、を有していている。
図５及び図６に示すように、筒状部４１１は、前後方向を軸線方向として円筒状に形成されている。後向き延出部４１２は、筒状部４１１の後端部から後方に延びている。後向き延出部４１２は、筒状部４１１の周方向に離間して４箇所に設けられている。
【００５７】
フランジ部４２は、筒状部４１１の前端部から軸線方向と直交する径方向外側（外方）に延びている。フランジ部４２は、正面視で環状に形成されている。フランジ部４２は、前板１１０の前面１１０ｇに当接配置されている。
【００５８】
突起４３は、各後向き延出部４１２の後端部に設けられている。突起４３は、係止片部（カバー側係止部）４３１と、規制片部（規制部）４３２と、を有している。
【００５９】
図５に示すように、係止片部４３１は、後向き延出部４１２の後端部から径方向外側に延びている。係止片部４３１は、径方向外側に向かうにしたがって次第に前後方向の厚みが薄くなる形状をなしている。規制片部４３２は、後向き延出部４１２の後端部から径方向内側（内方）に延びている。
【００６０】
カバー本体４１は、前板１１０の第一孔部１１２に当接配置されている。突起４３の係止片部４３１は、前板１１０の取付孔１１１の第一段部１１５の後部に配置され、第一段部１１５に係止されている。これにより、ブッシュ４が前板１１０の取付孔１１１から抜け落ちることがない。
【００６１】
なお、突起４３が周方向に離間して配置されているため、ブッシュ４を前板１１０の取付孔１１１の前方から取り付ける際には、突起４３が第一孔部１１２を通過するときに、突起４３は径方向内側に変位する。突起４３が第一孔部１１２を通過した後には、突起４３は元の状態に戻るように径方向外側に変位し、係止片部４３１が第一段部１１５に係止される。
【００６２】
カバー本体４１の内部には、前後方向に貫通する挿通空間４ｓが形成されている。挿通空間４ｓには、把手２の把手脚部２２の後端部２２ｂが配置されている。換言すると、取付孔１１１と把手脚部２２の後端部２２ｂとの間には、カバー本体４１が介在している。
【００６３】
把手脚部２２の外周面２２ｐは、カバー本体４１の内周面４１ｑに当接配置されている。これにより、把手２が前後方向に移動する際に、カバー本体４１は把手脚部２２を案内支持することができる。
【００６４】
挿通空間４ｓには、スライダー３の軸部３２が配置されている。規制片部４３２の先端部（径方向内側の端部）は、スライダー３の軸部３２の外周面３２ｐと僅かに離間して配置されている。
【００６５】
図５に示す状態では、突起４３の規制片部４３２の前面４３２ｇには、軸部３２に外嵌されたリング部材４８が当接されている。これにより、リング部材４８の前方に配置された把手２の把手脚部２２の後方への移動が規制されている。なお、リング部材４８が設けられておらず、突起４３の規制片部４３２の前面４３２ｇに把手２の把手脚部２２が当接する構成であってもよい。
【００６６】
図２に示すように、ガイド部材５は、取付板部５１と、一対の環状凸部（案内部）５２と、を有している。
【００６７】
取付板部５１は、平板状に形成されている。取付板部５１は、板厚方向を前後方向に向けて配置されている。取付板部５１は、正面視で左右方向に長い形状をなしている。
【００６８】
図３に示すように、前板１１０の後面１１０ｃには、前方に凹むガイド取付凹部１１８が形成されている。ガイド部材５の取付板部５１は、前板１１０のガイド取付凹部１１８に配置されている。
【００６９】
取付板部５１には、前後方向に貫通する螺子孔５１１が形成されている。螺子孔５１１は、左右方向に離間して３箇所に形成されている。螺子孔５１１に挿通された螺子５１２は、前板１１０に螺合されている。
【００７０】
取付板部５１の後面５１ｃには、スライダー３の支持板部３１のばね支持凸部３１１と対向する箇所に、前方に凹むばね取付凹部１１９が形成されている。ばね取付凹部１１９は、左右方向に離間して一対配置されている。取付板部５１のばね取付凹部１１９とスライダー３のばね支持凸部３１１との間には、ばね１３４が設けられている。ばね１３４の付勢力により、スライダー３の支持板部３１は後方に付勢されている。
【００７１】
環状凸部５２は、取付板部５１の前面５１ｇに設けられている。環状凸部５２は、取付板部５１の前面５１ｇから、前方に向かって突出している。環状凸部５２は、左右方向に離間して一対配置されている。本実施形態では、環状凸部５２は摺動性が良いＰＯＭ（ポリアセタール）で形成されている。環状凸部５２は、前板１１０の各取付孔１１１の内部に配置されている。
【００７２】
図５に示すように、取付孔１１１の内部において、環状凸部５２は、ブッシュ４の後方に隙間を有して配置されている。環状凸部５２は、第二孔部１１３において、ブッシュ４の突起４３よりも後方に配置されている。
【００７３】
環状凸部５２の上下方向の長さは、取付板部５１の上下方向の長さよりも僅かに短い。これにより、環状凸部５２の後端部には、上下に取付段部５２１が形成されている。取付段部５２１は、取付孔１１１の第二段部１１６に当接配置されている。
【００７４】
環状凸部５２は、正面視で環状に形成されている。換言すると、環状凸部５２の内部には、前後方向に貫通する案内孔（案内空間）５ｓが形成されている。
【００７５】
環状凸部５２の案内孔５ｓの内部には、スライダー３の軸部３２が配置されている。軸部３２の外周面３２ｐは、環状凸部５２の内周面５２ｑに当接配置されている。これにより、軸部３２が前後方向に移動する際に、環状凸部５２は軸部３２を案内することができる。
【００７６】
図３に示すように、前板１１０の後面１１０ｃには、スライダー３を覆うようにカバー１２０が設けられている。
【００７７】
図７は、図３のＤ部拡大図であり、後述するラッチ機構６０が係合された状態を示している。
図７に示すように、ラッチ機構６０は、前板１１０に設けられた第一突体ユニット６１と、筐体１０３（図１参照）に設けられた第二突起本体（被係合部）７１と、を備えている。
【００７８】
第一突体ユニット６１は、前板１１０に設けられている。前板１１０の後面１１０ｃには、前方に凹むラッチ取付凹部１３０が形成されている。ラッチ取付凹部１３０は、スライダー３の押圧突起部３１２と対向する箇所に形成されている。
【００７９】
第一突体ユニット６１は、固定部６１ａと、第一突起（係合部）６２と、を有している。
固定部６１ａは、前板１１０に固定されている。固定部６１ａには、上下方向を向く回動軸６１１が設けられている。
【００８０】
第一突起６２は、支持部６２１と、被押圧板部６２３と、第一突起本体６２４と、を有している。
【００８１】
支持部６２１は、回動軸６１１回りに回動可能に設けられている。被押圧板部６２３は、支持部６２１の後端部から鉛直面に沿って延びている。被押圧板部６２３は、平板状に形成されている。被押圧板部６２３は、板厚方向を前後方向に向けて配置されている。被押圧板部６２３の後面６２３ｃには、スライダー３の押圧突起部３１２が当接可能とされている。
【００８２】
固定部６１ａには、前板１１０のラッチ取付凹部１３０の底部に沿って、ばね支持板部６１ｂが設けられている。ばね支持板部６１ｂには、後方に突出するばね支持部６１ｃが設けられている。ばね支持部６１ｃには、ばね６１ｄが巻回されている。ばね６１ｄの付勢力により、被押圧板部６２３は後方に付勢されている。
【００８３】
第一突起本体６２４は、支持部６２１の後端部から後方に延びている。第一突起本体６２４には、第二突起本体７１に対向する側に、切欠き部６２５が形成されている。切欠き部６２５に、第二突起本体７１が係合可能とされている。
【００８４】
第一突起本体６２４における第二突起本体７１側を向く面には、左右方向のうち第二突起本体７１に近接する側に向かいにしたがって前方に向かって傾斜する傾斜面６２６が形成されている。
【００８５】
第二突起本体７１における第一突起本体６２４側を向く面には、左右方向のうち第一突起本体６２４側に近接する側に向かいにしたがって後方に向かって傾斜する傾斜面７１１が形成されている。
【００８６】
次に、上記の開閉装置１の動作について説明する。
図８は、ラッチ機構６０が解除された状態において、図４のＣ部に対応する箇所の拡大図である。図９は、ラッチ機構６０が解除された状態において、図３のＤ部に対応する箇所の拡大図である。
引出本体１０５が筐体１０３内に収納された状態では、図７に示すように、第一突起本体６２４の切欠き部６２５に第二突起本体７１が係合され、ラッチ機構６０がロック（係合）された状態となっている。
【００８７】
この状態から、利用者が把手２の手掛け部２１を把持して、引出本体１０５を前方に引き出そうとすると、図８に示すように、把手２の把手脚部２２、把手脚部２２に連結されたスライダー３の軸部３２、及び軸部３２を螺子止めしているボルト３３が、前方に移動する。把手脚部２２は、ブッシュ４の挿通空間４ｓを前方に移動する。軸部３２は、ガイド部材５の環状凸部５２の案内孔５ｓ及びブッシュ４の挿通空間４ｓを前方に移動する。この際に、軸部３２の外周面３２ｐは環状凸部５２の内周面５２ｑに案内され、前方へスムーズに移動する。
【００８８】
把手脚部２２は前方に移動した状態で、把手脚部２２の後端部２２ｂは、ブッシュ４のカバー本体４１の内部の前部に配置されている。換言すると、把手脚部２２の後端面２２ｃのストローク（移動範囲）Ｘ１は、ブッシュ４のカバー本体４１の内部である。
【００８９】
図９に示すように、スライダー３が前方に移動することにより、スライダー３の左右方向の端部に設けられた押圧突起部３１２が第一突体ユニット６１の被押圧板部６２３を前方に押圧する。これにより、第一突起６２は、上下方向の向く回動軸６１１回りに回動し、第一突起本体６２４が第二突起本体７１から離間して、第一突起本体６２４と第二突起本体７１との係合が解除される。これにより、引出本体１０５が前方に移動可能となる。
【００９０】
引出本体１０５を前方に引き出した状態で、利用者が把手２の手掛け部２１から手を離すと、ガイド部材５とスライダー３との間に設けられたばね１３４の付勢力により、スライダー３は後方に押し戻され、図５に示す元の位置に戻る。また、第一突起６２は、ばね６１ｄの付勢力により、回動軸６１１を中心に回動し図７に示す元の位置に戻る。
【００９１】
この状態で、利用者が把手２の手掛け部２１を把持して、引出本体１０５を後方に押し込むと、把手２の把手脚部２２、把手脚部２２に連結されたスライダー３の軸部３２、及び軸部３２を螺子止めしているボルト３３が、後方に移動する。スライダー３の軸部３２に外嵌されたリング部材４８が、ブッシュ４の突起４３の規制片部４３２の前面４３２ｇに当接すると、リング部材４８の後方への移動が規制されるとともに、把手２の把手脚部２２、把手脚部２２に連結されたスライダー３の軸部３２、及び軸部３２を螺子止めしているボルト３３の後方への移動が規制される。本実施形態では、リング部材４８がゴム等の軟質部材で構成されているため、リング部材４８が突起４３の規制片部４３２に当接する際の衝撃が緩和されるとともに、当接する際の衝突音の発生が抑制される。
【００９２】
また、第一突起本体６２４と第二突起本体７１とが当接し、第一突起本体６２４の傾斜面６２６が第二突起本体７１の傾斜面７１１を摺動するように、第一突起６２が回動軸６１１回りに回動する。さらに、引出本体１０５を後方に押し込むと、第一突起本体６２４の切欠き部６２５に第二突起本体７１が係合され、ロックされる。
【００９３】
このように構成されたデスク装置１００では、把手２の手掛け部２１に設けられた一対の把手脚部２２は、前板１１０に形成された一対の取付孔１１１の内部に配置されている。各取付孔１１１には、環状凸部５２が配置されている。各把手脚部２２と連結された軸部３２が、環状凸部５２の案内孔５ｓの内部で前後方向に案内されている。軸部３２に連結されたスライダー３は、第一突起６２に対して第一突起本体７１との係脱操作を行う。よって、一対の把手脚部２２は、それぞれ軸部３２を介して環状凸部５２の案内孔５ｓに案内される。したがって、把手２を前後方向に押し引きする動作にともない、一対の把手脚部２２及び一対の軸部３２は前後方向に同期して移動するため、筐体１０３との係脱操作を確実に行うことができる。
【００９４】
また、取付孔１１１の内部にはブッシュ４が配置され、ブッシュ４の挿通空間４ｓに把手脚部２２及び軸部３２が挿通されている。よって、軸部３２はブッシュ４の内部に配置されているため、前方から見て、軸部３２が露呈しない。把手脚部２２の後端部２２ｂのストロークＸ１はブッシュ４のカバー本体４１の内部であるため、前方から見て、把手脚部２２と軸部３２との連結部分が露呈しない。さらに、ブッシュ４は取付孔１１１の内部に配置されているため、前方からみてブッシュ４が大きく露出することがなく、体裁が良い。
【００９５】
また、取付孔１１１の内部にカバー本体４１が配置され、カバー本体４１は把手脚部２２を前後方向に案内する。よって、把手脚部２２が前後方向に移動する際に、ガタつきが抑制され、円滑に移動することができる。
【００９６】
また、ブッシュ４のカバー本体４１の前部から外方に向かって延びるフランジ部４２は、前板１１０の前面１１０ｇに沿って配置される。よって、取付孔１１１の前部の角部はカバー本体４１の前部及びフランジ部４２で覆われているため、把手脚部２２が取付孔１１１の内部を前後方向の移動することにともない、取付孔１１１の角部が損傷することが防止される。前板１１０が木製である場合には角部が欠けたりしやすいが、角部をカバー本体４１の前部及びフランジ部４２で覆うことで、角部の欠けが防止される。
【００９７】
また、把手脚部２２の後方に配置されたリング部材４８がブッシュ４に設けられた規制片部４３２に当接することで、把手脚部２２の後方の移動が規制される。よって、ラッチ機構６０が解除された位置よりも、把手脚部２２が取付孔１１１の内部で後方に移動しすぎることが抑制される。
【００９８】
また、カバー本体４１に設けられた係止片部４３１が取付孔１１１に形成された第一段部１１５に係止されるため、ブッシュ４が取付孔１１１から抜け落ちることが抑制される。
【００９９】
また、第一孔部１１２及び第二孔部１１３は円柱状をなすため、第一孔部１１２及び第二孔部１１３の加工がしやすい。前板１１０が木製の場合には穴加工をする場合には丸穴加工はしなすいため、本実施形態のような取付孔１１１の加工は加工しやすく有益である。
【０１００】
また、第一孔部１１２及び第二孔部１１３を形成すれば第一段部１１５が自然と形成されるため、ブッシュ４が係止される凹凸等をわざわざ加工する必要がない。
【０１０１】
また、上述した実施の形態において示した各構成部材の諸形状や組み合わせ等は一例であって、本発明の主旨から逸脱しない範囲において設計要求等に基づき種々変更可能である。
【０１０２】
例えば、上記に示す実施形態では、ブッシュ４のカバー本体４１の内周面は把手脚部２２の外周面２２ｐに当接配置され、ブッシュ４のカバー本体４１は把手脚部２２を前後方向に案内するが、本発明はこれに限られない。案内部が被案内部を前後方向に案内していれば、ブッシュ４は把手脚部２２を案内していなくてもよい。
【０１０３】
また、上記に示す実施形態では、ブッシュ４にはフランジ部４２が設けられているが、本発明はこれに限られない。ブッシュ４にはフランジ部４２が設けられていなくてもよく、カバー本体４１の前端部が前板１１０の前面１１０ｇよりも前方に少し突出する構成で、把手脚部２２が取付孔１１１の角部に直接接触しない等の構成であってもよい。
【０１０４】
また、上記に示す実施形態では、ブッシュ４には規制片部４３２が設けられているが、本本発明はこれに限られない。ブッシュ４に規制片部４３２が設けられずに、リング部材４８が、環状凸部５２の前面に当接して後方への移動が規制される等の構成であってもよい。
【０１０５】
また、上記に示す実施形態では、ブッシュ４には係止片部４３１が設けられ係止片部４３１が前板１１０の取付孔１１１の第一段部１１５に係止される構成であるが、本発明はこれに限られない。ブッシュ４には係止片部４３１が設けられていなくてもよく、カバー本体部が取付孔１１１に接着剤等により固定される構成であったり、カバー本体部が案内部に係止される等の構成であったりしてもよい。
【０１０６】
また、上記に示す実施形態では、ブッシュ４の係止片部４３１が係止されるのは、取付孔１１１の第一孔部１１２と第二孔部１１３との間の第一段部１１５であるが、本発明はこれに限られない。取付孔１１１に内方に突出する突起を設け、当該突起にカバー部が係止される等の構成であってもよい。
【０１０７】
また、上記に示す実施形態では、環状凸部５２及びブッシュ４は別体で構成されているが、本発明はこれに限られない。スライダー３の環状凸部５２にブッシュ４が連結されたような、案内部とカバー部とは一体化した構成であってもよい。
【０１０８】
また、上記に示す実施形態では、軸部３２の径方向の長さは把手脚部２２の径方向の長さよりも短いが、本発明はこれに限られない。軸部３２の径方向の長さの方が、把手脚部２２の径方向の長さよりも長くてもよい。
【０１０９】
また、上記に示す実施形態では、把手２は左右方向に長く、一対の把手脚部２２は把手２の左右方向の両端部に設けられているが、本発明はこれに限られない。把手２の長手方向は上下方向等の方向であってもよく、一対の把手脚部２２が上下方向等に離間して配置されていてもよい。
【０１１０】
また、上記に示す実施形態では、開閉装置１は引出本体１０５の前板１１０に設けられているが、本発明はこれに限られない。開閉装置１は前方に向かって開口する筐体１０３を開閉可能に閉塞する閉塞部材に設けられていればよく、筐体１０３に設けられた回動可能に開き戸等に開閉装置１が設けられていてもよい。
【符号の説明】
【０１１１】
１…開閉装置
２…把手
３…スライダー（操作部）
４…ブッシュ（カバー部）
４ｓ…挿通空間
５…ガイド部材
５ｓ…案内孔（案内空間）
１０…把持機構
２１…手掛け部（把手部）
２２…把手脚部
３１…支持板部
３２…軸部（被案内部）
３３…ボルト
４１…カバー本体（カバー本体部）
４２…フランジ部（縁部）
４３…突起
４８…リング部材
５１…取付板部
５２…環状凸部（案内部）
６０…ラッチ機構
６１…第一突体ユニット
６２…第一突起（係合部）
７１…第二突起本体（被係合部）
１００…デスク装置
１０２…引出装置（収納什器）
１０３…筐体
１０４…引出
１０５…引出本体
１１０…前板（閉塞部材）
１１１…取付孔
１１２…第一孔部（縮径部）
１１３…第二孔部（拡径部）
１１４…第三孔部
１１５…第一段部（段部、孔側係止部）
１２０…カバー
２２０…嵌合凹部
４１１…筒状部
４１２…後向き延出部
４３１…係止片部（カバー側係止部）
４３２…規制片部（規制部）
６２４…第一突起本体
Ｘ１…ストローク
【図１】
2020070694.tif 000003
【図２】
2020070694.tif 000004
【図３】
2020070694.tif 000005
【図４】
2020070694.tif 000006
【図５】
2020070694.tif 000007
【図６】
2020070694.tif 000008
【図７】
2020070694.tif 000009
【図８】
2020070694.tif 000010
【図９】
2020070694.tif 000011